(57)【要約】      （修正有）【課題】サイズが小さく、材料コストを低減できる収納可能なバッフル構造を提供する。【解決手段】スキャナー又はプリンターのトレイに設けられ、互いに対応してトレイに平行に設けられる２つの位置決め部を有する収納可能なバッフル構造であって、各位置決め部は、それぞれ摺動部と、ストッパー部と、ガイド部とを有し、摺動部は、トレイ上に水平移動することができ、ストッパー部は、摺動部にピン接合され、ストッパー部と摺動部との間に弾性部品が設けられ、弾性部品によってストッパー部が摺動部上に軸回転でき、ガイド部は、ストッパー部にピン接合され、ストッパー部上に軸回転することができる。本考案に係る収納可能なバッフル構造は、軸回転可能なストッパー部及びガイド部が設けられることにより、ストッパー部及びガイド部を摺動部に受容することができる。それにより、設計上の空間を節約することができる。【選択図】図１
0003232496.tif 000002
【実用新案登録請求の範囲】
【請求項１】
スキャナー又はプリンターのトレイに設けられる収納可能なバッフル構造であって、
互いに対応してトレイに平行に設けられる２つの位置決め部を有し、
各前記位置決め部は、それぞれ摺動部と、ストッパー部と、ガイド部とを有し、
前記摺動部は、受容空間を有し、
前記受容空間の内壁は、対向する２つのピン接合溝を有し、
前記受容空間は、２つの前記内壁を連結して形成された延伸部をさらに有し、
前記延伸部には、上方及び一側方に突出して形成された第１ピン接合部が設けられ、
前記第１ピン接合部の下方には、ポートが開設され、
前記ストッパー部は、前記受容空間に設けられ、かつ、外側に突出して形成された２つの第２ピン接合部を有し、
２つの前記第２ピン接合部は、それぞれ２つの前記ピン接合溝に対応して設けられ、
前記ストッパー部の底部は、凹んで形成された受容溝を有し、
前記受容溝は、凹んで形成された位置決め溝をさらに有し、
前記第１ピン接合部には、弾性部品が設けられ、
前記受容溝は、前記第１ピン接合部及び前記弾性部品を覆い、
前記弾性部品は、その一端が前記ポートを通り抜けて前記延伸部の底部に当接し、もう一端が前記位置決め溝に入り、
前記ストッパー部は、その一側に外側に突出して形成された軸回転部を有し、
前記軸回転部は、上下貫通して形成された軸回転口を有し、
前記ガイド部は、前記軸回転部に設けられ、かつ、突出して形成された２つのバンプを有し、
各前記バンプの対向面は、それぞれ凹んで形成された凹溝を有し、
２つの前記凹溝は、前記軸回転部に設けられ、
２つの前記凹溝は、前記軸回転口に対応して設けられ、
前記ストッパー部の前記軸回転口には、軸回転部品がさらに設けられ、
前記軸回転部品の両端は、それぞれ前記ガイド部の２つの前記凹溝に設けられる、
ことを特徴とする、
収納可能なバッフル構造。
【請求項２】
前記ストッパー部の一端は、外側に延伸して形成された当接部を有することを特徴とする、
請求項１に記載の収納可能なバッフル構造。
【請求項３】
前記トレイには、２つの滑り溝が設けられ、
各前記位置決め部の底部は、それぞれ下方に突出して形成された２つの摺動部をさらに有し、
各前記摺動部は、各前記滑り溝に設けられ、かつ前記滑り溝に沿って摺動することができる、
ことを特徴とする、
請求項１に記載の収納可能なバッフル構造。
【請求項４】
前記弾性部品は、ねじりばねであることを特徴とする、
請求項１に記載の収納可能なバッフル構造。
【考案の詳細な説明】
【技術分野】
【０００１】
本考案は、収納可能なバッフル構造に関する。
【背景技術】
【０００２】
従来のスキャナーの紙送り構造は、用紙又はカードをガイドする必要があるため、バッフルの末端にガイド構造が設けられる。このようにすると、例えば用紙が反り上げて又は綺麗に重ねなくても、ガイド構造の作用により、用紙又はカードをスムーズにスキャナーに入れさせることができる。
【０００３】
しかしながら、従来のバッフル及びガイド構造が固定構造であるため、トレイを巻き上げる時にバッフル及びガイド構造が大きな空間を占める。そのため、製品の外観サイズが大きくなる。
【０００４】
そのため、製品の外観サイズを小さくして、材料コストを低減できる収納可能なバッフル構造が求められている。
【考案の概要】
【考案が解決しようとする課題】
【０００５】
本考案は、収納可能なバッフル構造を提供することを目的とするものである。前記バッフル構造が収容性を有する。
【課題を解決するための手段】
【０００６】
上記目的を実現するために、本考案に係る収納可能なバッフル構造は、スキャナー又はプリンターのトレイに設けられ、かつ互いに対応して前記トレイに平行に設けられる２つの位置決め部を有する収納可能なバッフル構造であって、各位置決め部は、それぞれ摺動部と、ストッパー部と、ガイド部とを有し、前記摺動部は、前記トレイ上に水平移動することができ、前記ストッパー部は、前記摺動部にピン接合され、前記ストッパー部と前記摺動部との間に弾性部品が設けられ、前記弾性部品によって前記ストッパー部が前記摺動部上に軸回転することができ、前記ガイド部は、前記ストッパー部にピン接合され、前記ストッパー部上に軸回転することができる。
【考案の効果】
【０００７】
本考案に係る収納可能なバッフル構造は、収容可能であるため、トレイの設計上の空間を節約することができ、また、弾性部品の弾性力により、使用時にストッパー部が自動に初期状態に戻ることができて使用上便利である。
【図面の簡単な説明】
【０００８】
【図１】本考案に係る収納可能なバッフル構造とトレイとがスキャナーに設けられる状態を示す斜視図である。
【図２】本考案に係る収納可能なバッフル構造がトレイに設けられ、かつ初期状態にあることを示す斜視図である。
【図３】図２における丸ＩＩＩの拡大図である。
【図４】本考案に係る収納可能なバッフル構造を示す分解斜視図である。
【図５】本考案に係る収納可能なバッフル構造を別の角度で示す分解斜視図である。
【図６】本考案に係る収納可能なバッフル構造がトレイのガイド部に設けられ、かつガイド状態にあることを示す斜視図である。
【図７】図６における丸ＶＩＩの拡大図である。
【図８】本考案に係る収納可能なバッフル構造がトレイに設けられ、かつ収容状態にあることを示す斜視図である。
【図９】図８における丸ＩＸの拡大図である。
【考案を実施するための形態】
【０００９】
以下、実施例及び図面を開示しながら本考案の技術的な内容、構造的な特徴、目的及び効果を詳しく説明する。
【００１０】
図１〜図３を参照しながら説明する。本考案に係る収納可能なバッフル構造１００は、スキャナー又はプリンターのトレイ２００に設けられ、かつ、２つの位置決め部１を有する。
【００１１】
図４及び図５を参照しながら説明する。２つの位置決め部１は、互いに対応してトレイ２００に平行に設けられる。各位置決め部１は、それぞれ摺動部１１と、ストッパー部１２と、ガイド部１３とを有する。摺動部１１は、受容空間１１１を有する。受容空間１１１の内壁は、対向する２つのピン接合溝１１２を有する。また、受容空間１１１は、２つの内壁を連結して形成された延伸部１１３をさらに有する。延伸部１１３には、上方及び一側方に突出して形成された第１ピン接合部１１４が設けられる。第１ピン接合部１１４の下方には、ポート１１５が開設されている。
【００１２】
ストッパー部１２は、受容空間１１１に設けられ、かつ、外側に突出して形成された２つの第２ピン接合部１２１を有する２つの第２ピン接合部１２１は、それぞれ２つのピン接合溝１１２に対応して設けられる。ストッパー部１２の底部は、凹んで形成された受容溝１２２を有する。受容溝１２２は、凹んで形成された位置決め溝１２２１をさらに有する。ストッパー部１２は、その一端に外側に延伸して形成された当接部１２３を有し、その一側に外側に突出して形成された軸回転部１２４を有する。軸回転部１２４は、上下貫通して形成された軸回転口１２５を有する。
【００１３】
ガイド部１３は、軸回転部１２４に設けられ、かつ、突出して形成された２つのバンプ１３１を有する。各バンプ１３１の対向面は、それぞれ凹んで形成された凹溝１３２を有する。２つの凹溝１３２は、軸回転部１２４に設けられる。２つの凹溝１３２は、軸回転口１２５に対応して設けられる。
【００１４】
図４、図６、及び図７を参照しながら説明する。ストッパー部１２の軸回転口１２５には、さらに軸回転部品２が設けられる。軸回転部品２の両端は、それぞれガイド部１３の２つの凹溝１３２に設けられる。２つのガイド部１３は、ある角度で内側に軸回転することで、ガイド状態に変わることができる。それにより、ガイド部１３は、トレイ２００との間にトレイ２００に向う傾斜面になる。用紙をスキャンする時に、用紙はガイド部１３を通って前記傾斜面に沿って下方に向かってトレイ２００の上に移動することができる。このようにすると、用紙が平らの状態でスキャナー又はプリンターに入ってスキャン又は印刷を行うことを確保できる。
【００１５】
図２、図３、図５、図８、及び図９を参照しながら説明する。第１ピン接合部１１４には、弾性部品３が設けられる。受容溝１２２は、第１ピン接合部１１４及び弾性部品３を覆う。前記弾性部品３は、ねじりばねである。弾性部品３は、その一端がポート１１５を通り抜けて延伸部１１３の底部に当接し、もう一端が位置決め溝１２２１に入る。本考案に係る収納可能なバッフル構造１００が初期状態にある時には、ストッパー部１２が弾性部品３によって外側へ押されて、当接部１２３が摺動部１１の上面に当接する。それにより、ストッパー部１２が上向きの直立状態に維持される。トレイ２００及びストッパー部１２が収容状態に変わる時には、トレイ２００がスキャナー又はプリンターのハウジングを覆いて、ストッパー部１２及びガイド部１３が壁面によって内側へ押されて、ストッパー部１２の２つの第２ピン接合部１２１が２つのピン接合溝１１２に軸回転することで、ストッパー部１２が横向き状態となり、ガイド部１３が初期状態までに軸回転する。それにより、ストッパー部１２及びガイド部１３が受容空間１１１に受容される。その場合、弾性部品３が弾性力を蓄積する。スキャナー又はプリンターを使用する時に、使用者がトレイ２００を外側に開けると、弾性部品３の弾性力がストッパー部１２に作用し、ストッパー部１２の２つの第２ピン接合部１２１が２つのピン接合溝１１２に軸回転することで、ストッパー部１２が初期状態に戻る。
【００１６】
図２、図３、図６、及び図７を参照しながら説明する。トレイ２００には、２つの滑り溝４が設けられる。各位置決め部１の底部は、それぞれ下方に突出して形成された２つの摺動部１４をさらに有する。各摺動部１４は、各滑り溝４に設けられ、かつ滑り溝４に沿って摺動することができる。２つの位置決め部１をトレイ２００上に摺動することで、２つの位置決め部１の間の隙間を調整し、異なるサイズの用紙に対応することができる。
【００１７】
上記のように、本考案に係る収納可能なバッフル構造１００は、収容可能であるため、トレイ２００上の空間を節約することができ、また、弾性部品３の弾性力により、使用時にストッパー部１２が自動に初期状態に戻ることができて使用上便利である。
【符号の説明】
【００１８】
１００  収納可能なバッフル構造
１  位置決め部
１１  摺動部
１１１  受容空間
１１２  ピン接合溝
１１３  延伸部
１１４  第１ピン接合部
１１５  ポート
１２  ストッパー部
１２１  第２ピン接合部
１２２  受容溝
１２２１  位置決め溝
１２３  当接部
１２４  軸回転部
１２５  軸回転口
１３  ガイド部
１３１  バンプ
１３２  凹溝
１４  摺動部
２  軸回転部品
３  弾性部品
２００  トレイ
４  滑り溝
【図１】
0003232496.tif 000003
【図２】
0003232496.tif 000004
【図３】
0003232496.tif 000005
【図４】
0003232496.tif 000006
【図５】
0003232496.tif 000007
【図６】
0003232496.tif 000008
【図７】
0003232496.tif 000009
【図８】
0003232496.tif 000010
【図９】
0003232496.tif 000011